(57)【特許請求の範囲】
【請求項１】
ロッド体と、ロッド体に装着されたシャワー固定用ホルダーとがあり、手持ち式シャワーのハンドルを固定するため、シャワー固定用ホルダーの外側にはスリーブホルダーが設置され、前記シャワー固定用ホルダーにはスライダーホルダーの上カバーと、スライダーホルダーの下カバーと、フロートピースとがあり、フロートピースがロッド体に装着され、フロートピースの内壁には摩擦板が設置され、前記摩擦板の相対側には１つのカムが回転できるように設置され、カムはロッド体と接触し、フロートピースをスライダーホルダーの上カバーとスライダーホルダーの下カバーとの形成した空間に可動できるように収容し、普通には、フロートピースの下端はスライダーホルダーの下カバーと接触し、カムと摩擦板はロッド体の両側に作用し、摩擦力によって、シャワー固定用ホルダー全体を昇降ロッドのロッド体に固定する自動ロック式の昇降ロッド。
【請求項２】
前記スライダーホルダーの上カバーは１つのケース体で、ケース体にはロッド体の横断面と対応した１つのホールが偏心設置され、ケース体内では、前記ホールの外側は下の方へ延伸し、１つの押しアームに形成し、ケース体内壁の下部には１つの合わせホールが設置されるようにしたことを特徴とすることは請求項１記載の自動ロック式の昇降ロッド。
【請求項３】
前記スライダーホルダーの下カバーは１つのカバーで、その裏側には１つの階段式のブロックが形成し、前記ブロックはスライダーホルダーの上カバーの合わせホールに伸ばし、スライダーホルダーの上カバーと可動できるように取り付け、スライダーホルダーの下カバーにはロッド体の横断面と合わせたホールが形成するようにしたことを特徴とすることは請求項１あるいは請求項２記載の自動ロック式の昇降ロッド。
【請求項４】
フロートピースは１つの偏心スリーブで、その下部にはロッド体の横断面と合わせた１つのスリーブホールが形成するようにしたことを特徴とすることは請求項１記載の自動ロック式の昇降ロッド。
【請求項５】
また、フロートピースの外部と、スライダーホルダーの上カバーとの間には１つの力設定スプリングが設置されるようにしたことを特徴とすることは請求項１記載の自動ロック式の昇降ロッド。
【請求項６】
フロートピースの外側には１つの軸方向の溝が形成し、力設定スプリングを収容するようにしたことを特徴とすることは請求項５に記載の自動ロック式の昇降ロッド。
【請求項７】
スライダーホルダーの上カバーの押しアーム先端は１つの外向きのアーク状構造に形成し、対応したカムには１つの面取り斜面が形成し、押しアームが下へ押すと、カムを反時計回りに回転させ、ロッド体を緩めるようにしたことを特徴とすることは請求項１あるいは請求項２記載の自動ロック式の昇降ロッド。
【発明の詳細な説明】
【技術分野】
【０００１】
本発明は一種の浴室付属品に関し、とくに自動ロック式の昇降ロッドに関し、シャワーを固定し、または調整する。
【背景技術】
【０００２】
通常私たちが使っているシャワーの設置方法には２つの種類がある。１つは固定式で、この方式は壁に付着した設置コネクタで、主にホテルや、基準アパートメントで利用され、シャワーの位置は固定されており、シャワーヘッドと呼ばれている。もう１つは移動式で、この方式は家庭で広く用いられている固定方式で、前記シャワーはソフトパイプを経由して給水コネクタと接続し、その位置は可動で、シャワーと呼ばれ、手で持って使用し、または壁のシャワー固定ホルダーに挿入し、固定式のシャワーとして使うことができる。
【０００３】
そして、複数の固定位置にも使用できるというシャワーの適応性を増加するために、従来の浴室にはいつもシャワー昇降ロッドが設置され、前記昇降ロッドには１つのシャワー固定ホルダーが移動できるように設置され、それによって、シャワーの高度を調整でき、子供や大人が便利に調整して使用できる。
【０００４】
だが、前記昇降ロッドのシャワー固定ホルダーの調節はみんなシャワー固定ホルダーのねじ込み装置によって実現でき、すなわち、調整する時、まず前記ねじ込み装置を緩め、前記シャワー固定ホルダーは昇降ロッドを沿って、目的位置まで滑走した後で、前記ねじ込み装置をねじ込み、シャワー固定ホルダーを目的の高さに固定することによって、前記昇降ロッドの調整することには、両手を使う必要があるが、シャワーする時、両手にフォームがあり、シャワー固定ホルダーを迅速に調整することができない。
【発明の概要】
【発明が解決しようとする課題】
【０００５】
本発明の目的として、一種の自動ロック式の昇降ロッドを提供し、両手を使わずに、ロッド体のシャワー固定用ホルダーの高さを調整することができ、そして、自動ロックするができる。
【課題を解決するための手段】
【０００６】
本発明は以下の技術手段を採用し、自動ロック式の昇降ロッドには、ロッド体と、ロッド体に装着されたシャワー固定用ホルダーとがあり、手持ち式シャワーのハンドルを固定するため、シャワー固定用ホルダーの外側にはスリーブホルダーが設置され、前記シャワー固定用ホルダーにはスライダーホルダーの上カバーと、スライダーホルダーの下カバーと、フロートピースとがあり、フロートピースがロッド体に装着され、フロートピースの内壁には摩擦板が設置され、前記摩擦板の反対側には１つのカムが回転できるように設置され、カムはロッド体と接触し、フロートピースをスライダーホルダーの上カバーとスライダーホルダーの下カバーとの形成した空間に可動できるように収容する。
【０００７】
前記スライダーホルダーの上カバーは１つのケース体で、ケース体にはロッド体の横断面に合わせた１つのホールが偏心設置され、ケース体内では、前記ホールの外側は下の方へ延伸し、１つの押しアームに形成し、ケース体内壁の下部には１つの合わせホールが設置される。
【０００８】
前記スライダーホルダーの下カバーは１つのカバーで、その裏側には１つの階段式のブロックが形成し、前記ブロックはスライダーホルダーの上カバーの合わせホールに伸ばし、スライダーホルダーの上カバーと可動できるように取り付け、スライダーホルダーの下カバーにはロッド体の横断面に合わせたホールが形成する。
【０００９】
前記フロートピースは１つの偏心スリーブで、その下部にはロッド体の横断面に合わせた１つのスリーブホールが形成する。
【００１０】
前記フロートピースの外部と、スライダーホルダーの上カバーとの間には１つの力設定スプリングが設置される。
【００１１】
フロートピースの外側には１つの軸方向の溝が形成し、前記力設定スプリングを収容する。
【００１２】
以上のように、本発明では、昇降ロッドのロッド体に設置されたシャワー固定ホルダーは内部フロートピースの摩擦板と、摩擦板と相対して設置されたカム構造とによって、昇降ロッドのロッド体に設置されたシャワー固定ホルダーの高さを迅速に調整でき、カムがロッド体に対して回転すると、摩擦板とロッド体の摩擦力の大きさが調整でき、そして、シャワー固定用ホルダーがロッド体に沿って滑走し、ロッド体に自動ロックして定位することを実現でき、従来技術にある両手を使ってシャワー固定ホルダーを調整する構造と比べると、操作はより便利で迅速である。
【図面の簡単な説明】
【００１３】
【図１】本発明のシャワー固定ホルダーが昇降ロッドを沿って、上へ滑走する状態と、停止状態との状態図を示す。
【図２】本発明のシャワー固定ホルダーが昇降ロッドを沿って、下へ滑走する状態の状態図を示す。
【発明を実施するための形態】
【００１４】
図１と、図２とのように、本発明のシャワー固定ホルダーには１つの昇降ロッドのロッド体１と、前記ロッド体１に移動できるように装着されたシャワー固定用ホルダー２とがある。
【００１５】
昇降ロッドのロッド体１は細長いパイプ体で、その上部と下部は壁に固定され、前記ロッド体は１つの金属パイプである。
【００１６】
シャワー固定ホルダー２には、スライダーホルダーの上カバー２１と、スライダーホルダーの下カバー２２と、フロートピース２３と、力設定スプリング２４がある。
【００１７】
スライダーホルダーの上カバー２１は１つのケース体で、手持ち式シャワーのハンドルを固定するため、その外側には逆円錐型のスリーブホルダー２１１が設置される。ケース体にはロッド体１の横断面と対応した１つのホール２１２が偏心設置され、ケース体の内部では、前記ホール２１２の外側は下の方へ延伸し、１つの押しアーム２１３に形成し、ケース体の内壁下部には１つの合わせホール２１４が設置される。
【００１８】
スライダーホルダーの下カバー２２は１つのカバーで、その裏側には１つの階段式のブロック２２１が形成し、前記ブロック２２１は前記合わせホール２１４に伸ばし、スライダーホルダーの上カバー２１と可動できるように取り付け、スライダーホルダーの上カバー２１と合わせて、１つの収容空間Ａに形成し、スライダーホルダーの下カバー２２の前記ホール２１２と対応した所にはホール２２２が形成し、ロッド体１の横断面と合わせる。
【００１９】
フロートピース２３は１つの偏心スリーブで、その内壁には摩擦板２３１が設置され、前記摩擦板２３１の反対側には１つのカム２３２が回転できるように設置され、カム２３２の裏側はロッド体１と接触し、フロートピース２３の外側には１つの軸方向の溝２３３が形成し、力設定スプリング２４を収容する。フロートピース２３の下部には１つのスリーブホール２３４が形成し、ロッド体１の横断面と合わせる。
【００２０】
図に示すように、取付けの際、力設定スプリング２４をフロートピース２３の溝２３３に収容し、作り付けのフロートピース２３をスライダーホルダーの上カバー２１の下部から上へ移動し、スライダーホルダーの上カバー２１内に収容してから、スライダーホルダーの下カバー２２のブロック２２１をスライダーホルダーの上カバー２１の合わせホール２１４に取り付け、１つのシャワー固定ホルダー２に形成し、フロートピース２３をスライダーホルダーの上カバー２１とスライダーホルダーの下カバー２２との形成した収容空間Ａに可動できるように収容し、こうして、シャワー固定ホルダー２を昇降ロッドのロッド体１に移動できるように装着し、その時、力設定スプリング２４の上部はスライダーホルダーの上カバー２１の上壁にもたれ、その下部はフロートピース２３の溝２３３の下部にもたれる。
【００２１】
図１に示すように、普通の停止状態では、前記フロートピース２３の下端はスライダーホルダーの下カバー２２と接触し、シャワー固定ホルダー２は重力によって降りる傾向があり、そして、カム２３２がロッド体１と接触しているので、カム２３２を時計回りに回転させ、反対側の摩擦板２３１との間隔を減少させ、摩擦板２３１はロッド体１からの正圧を受けて、こうしてシャワー固定用ホルダー２全体は摩擦力によって昇降ロッドのロッド体１に固定し滑り落ちることがない。
【００２２】
シャワー固定ホルダー２が上昇する時、つまりシャワー固定用ホルダー２がロッド体１を沿って、上へ滑走する時、シャワー固定ホルダー２全体を持ち上げ、カム２３２がロッド体１と接触しているので、カム２３２を反時計回りに回転させ、そして、反対側の摩擦板２３１との間隔を増加させ、ロッド体１から受けた摩擦板２３１の正圧が迅速に減少し、摩擦力も迅速に減少するので、シャワー固定用ホルダー２全体が順調に上へ滑走することができ、いったん目的位地に到達すると、シャワー固定用ホルダー２を緩め、この時重力によってシャワー固定用ホルダー２は降りる傾向があり、力設定スプリング２４の復元力と同時に合わせてカム２３２を時計回りに回転させ、そして、反対側の摩擦板２３１との間隔を減少させ、摩擦板２３１はロッド体１からの正圧を受けて、こうしてシャワー固定用ホルダー２全体は摩擦力によって、滑り落ちることがなく昇降ロッドのロッド体１に固定し定位することができる。
【００２３】
図２に示すように、シャワー固定ホルダー２が降下する時、つまりシャワー固定用ホルダー２がロッド体１を沿って、下へ滑走する時フロートピース２３は摩擦力によって動かないので、スライダーホルダーの上カバー２１はただ力設定スプリング２４を押し付け下へ滑走することしかできず、いったんスライダーホルダーの上カバー２１の押しアーム２１３はカム２３２の上部と接触すると、カム２３２を反時計回りに回転させ、摩擦板２３１の正圧がだんだん減少し、したがって摩擦力も減少し、そしてある強さの力によって、シャワー固定用ホルダー２を下へ移動させいったん目的位置に達すると、シャワー固定用ホルダー２を緩め、この時、重力によってシャワー固定用ホルダー２は降りる傾向があり、力設定スプリング２４の復元力と同時に合わせてカム２３２を時計回りに回転させ、そして反対側の摩擦板２３１との間隔を減少させ摩擦板２３１はロッド体１からの正圧を受けて、シャワー固定用ホルダー２全体は摩擦力によって滑り落ちることがなく、昇降ロッドのロッド体１に固定し定位することができる。
【００２４】
以上のように、前記シャワー固定用ホルダー２はその内部のフロートピース２３の摩擦板２３１と、摩擦板２３１の反対側に設置されたカム２３２とによって、昇降ロッドのロッド体１に設置されたシャワー固定用ホルダー２の高さを迅速に調整でき、カム２３２はロッド体１に対して回転すると摩擦板２３１とロッド体１の摩擦力の大きさを調整でき、そして、シャワー固定用ホルダー２がロッド体１に沿って滑走しロッド体１に自動ロックして定位することを実現でき、さらに従来技術にある両手を使って、シャワー固定用ホルダー２を調整することにより操作は便利で迅速である。
【産業上の利用可能性】
【００２５】
本発明の自動ロック式の昇降ロッドでは、フロートピースの摩擦板とカムを使って、昇降ロッドのロッド体に定位することが実現でき、その構造が簡単かつ調節することが便利で、従来技術で両手を使ってシャワー固定用ホルダー２を調整することより、操作は便利で迅速なため優れた工業実用性を備える。
【図１】
0005645086.tif 000002
【図２】
0005645086.tif 000003